(57)【要約】  Ｎ，Ｎ−メチレンビスアクリルアミド、グリシンおよび４−アミノブチルグアニジン（アグマチン）の共重合によって得られ、以下の式（Ｉ）：【化１】2019533072.tif 000007［式中、ｎおよびｍは、（ｎ＋ｍ）の値が、５〜１，０００の範囲、好ましくは２０〜２００の範囲、さらにより好ましくは４５〜５５の範囲であり得るような２つの数である］を有する、１，０００Ｄａ〜２００，０００Ｄａの間の範囲の数平均分子量を有するポリアミドアミンが開示される。本発明による化合物は、微生物感染症を治療および／または予防するための医薬組成物の有効成分、または有機農業において細菌性病原体および真菌性病原体に対抗する植物保護製品として有用である。【特許請求の範囲】
【請求項１】
Ｎ，Ｎ−メチレンビスアクリルアミド、グリシンおよびアグマチンの共重付加によって得られ、以下の式（Ｉ）：
【化１】
2019533072.tif 000006
［式中、ｎおよびｍは、値（ｎ＋ｍ）が、５〜１，０００の範囲、好ましくは２０〜２００の範囲、さらにより好ましくは４５〜５５の範囲となり得るような２つの数である］
を有する、１，０００Ｄａ〜２００，０００Ｄａの間の範囲の数平均分子量を有するポリアミドアミン。
【請求項２】
比ｍ／（ｎ＋ｍ）が、０．２５〜０．７の間の範囲である、請求項１に記載のポリアミドアミン。
【請求項３】
比ｎ／ｍが、０．０５〜９９．５の範囲、好ましくは１０〜９０の範囲、さらにより好ましくは０．２５〜０．７５の範囲であり得る、請求項１に記載のポリアミドアミン。
【請求項４】
比ｎ／ｍが、０．２５、０．３、０．４、０．５、０．６、０．７、および０．７５から選択される、請求項３に記載のポリアミドアミン。
【請求項５】
５，０００Ｄａ〜３０，０００Ｄａの間の範囲の数平均分子量を有する、請求項１から４のいずれか一項に記載のポリアミドアミン。
【請求項６】
医薬として使用される、請求項１から５のいずれか一項に記載のポリアミドアミン。
【請求項７】
抗微生物剤として使用される、請求項６に記載のポリアミドアミン。
【請求項８】
抗菌剤および抗真菌剤として使用される、請求項７に記載のポリアミドアミン。
【請求項９】
Ｅ．ｃｏｌｉ、Ｓ．ａｕｒｅｕｓ、Ｘａｎｔｈｏｍｏｎａｓ属種、Ｐｓｅｕｄｏｍｏｎａｓ  ｓｙｒｉｎｇａｅ  ｐｖ．Ｓｙｒｉｎｇａｅ、Ｂａｃｉｌｌｕｓ  ｌｉｃｈｅｎｉｆｏｒｍｉｓ、Ｂ．ｓｕｂｔｉｌｉｓ、Ｐｓｅｕｄｏｍｏｎａｓ属種、Ｍｏｎｉｌｉａ  ｌａｘａ、Ｍｏｎｉｌｉａ  ｆｒｕｃｔｉｇｅｎａ、Ｂｏｔｒｙｔｉｓ  ｃｉｎｅｒｅａ、およびＭｏｎｉｌｉｎｉａ  ｆｒｕｃｔｉｃｏｌａによって引き起こされる感染症の治療に使用される、請求項８に記載のポリアミドアミン。
【請求項１０】
請求項１から５のいずれか一項に記載の化合物を薬学的に許容される賦形剤および／または担体と混合して含む医薬組成物。
【請求項１１】
請求項１から５のいずれか一項に記載の化合物を希釈剤および／または担体と混合して含む組成物。
【発明の詳細な説明】
【技術分野】
【０００１】
本発明の分野
本発明は、抗微生物活性（antimicrobial activity）を有する、新規のポリアミドアミン（ＰＡＡ）であって、グリシンおよび４−アミノブチルグアニジン（アグマチン）の混合物と、Ｎ，Ｎ−メチレンビスアクリルアミドとの共重付加（copolyaddition）によって得られるＰＡＡに関する。
【背景技術】
【０００２】
本発明の背景
ポリアミドアミン（ＰＡＡ）は、スキーム１に従う、第一級アミンまたは第二級アミンおよびビスアクリルアミドの段階機構（step mechanism）を伴うマイケル型重付加によって得られる合成ポリマーであり、スキーム１は一般に、第一級アミンからのＰＡＡの合成に関する。
【０００３】
【化１】
2019533072.tif 000002
【０００４】
式中、Ｒ１は、水素、または任意選択で置換されたアルキルであり、Ｒ２は、アルキレンであり、Ｒ３は、任意選択で置換されたアルキルであり、ｎは、ポリマーに所望の分子量をもたらすのに必要とされる、繰り返し単位の数を表す整数である。
【０００５】
ＰＡＡおよびそれを調製するための方法については、例えば、WO2010/099962、WO2011/145056、P. Ferrutiら、Biomacromolecules、2007、8、1498-1504、およびP. Ferruti、J. Polym. Sci.、A1 51、2319-2353（2013）に記載されている。
【０００６】
重合は通常、水中、濃縮溶液（≧２５％）中、室温で、２〜８日間の範囲の時間で行われる。特別な場合には、アルコール、グリセリン、またはジメチルスルホキシドと水との混合物などの他の溶媒を使用することができる。しかし、アミノ酸などの極性モノマー、およびそれに由来するＰＡＡは、通常、前記溶媒に難溶性（poorly soluble）である。さらに、重合率はしばしば低く、大半の場合において、使用しうる場合は、水がより好都合である。移動可能な水素原子がない溶媒中では、重合率はあまり高くなく、得られる生成物の分子量は小さい。
【０００７】
アグマチンまたは４−アミノブチルグアニジン（以下、「Ｇ」と呼ぶ）は、極めて強い塩基であるグアニジン基、及び、中程度の塩基性を有する第一級アミノ基を含有する天然のアミノ酸である、アルギニンの脱炭酸化に由来する化合物である。
【０００８】
アグマチンは、水溶液中でビスアクリルアミドと反応して、ｐＨが１０未満に維持されている場合には、これらの条件下では、グアニジン基はプロトン化され、反応しないため、アミノ基のみを含む段階重付加が生じる。
【０００９】
WO2011/145056は、アグマチンと２，２−ビス（アクリルアミド）酢酸との共重合（スキーム２）について記載している。得られるＡＧＭＡ−１と呼ばれる生成物は、その側鎖がアミジノ基を含有し、抗ウイルス活性を有するＰＡＡである。
【００１０】
アグマチンと、Ｎ，Ｎ−メチレンビスアクリルアミド（以下、「ＭＢＡ」と呼ぶ）との共重合は、ＭＢＡ−Ｇと呼ばれる、グアニジン基を含有するＰＡＡをもたらす（スキーム２）：
【００１１】
【化２】
2019533072.tif 000003
【００１２】
ＭＢＡ−Ｇは、アグマチンと同様に、極めて塩基性が強く、水に可溶性である。本発明の発明者らは、ＭＢＡ−Ｇが多くの病原性微生物に対して強い抗微生物特性を保有することを見出した。
【００１３】
ＰＡＡの共通の特徴は、異なるアミンの混合物と、同じビスアクリルアミドとの共重付加、または同じアミンと、異なるビスアクリルアミドの混合物との共重付加により、ＰＡＡがコポリマーを形成することである。例えば、アグマチンを、２，２−ビス（アクリルアミド）酢酸およびＮ，Ｎ−メチレンビスアクリルアミド（ＭＢＡ）の混合物と共重合することによって得られる生成物は、両方の単位を２種の出発ビスアクリルアミドと同じ割合で含有し、これらはポリマー鎖に沿ってランダムに配置されているが、いずれもグアニジン単位の前後に配置される。これらのコポリマーは全て塩基性であるが、それらはカルボキシル基の存在により内部的に緩衝されているため、ＭＢＡ−Ｇより弱い。本発明によるコポリマー（下記参照）は、別の例を構成する。
【００１４】
ＰＡＡの合成において、モノマーとして使用可能なアミンの中で、天然のアミノ酸は特定の位置を占める。それらは、天然の状態ではビスアクリルアミドと反応しないが、混合物のｐＨが７．５〜８を超えて上昇すると反応が起こる。ただし、それらの反応性は低く、かなり大きい分子量を有するＰＡＡは、反応時間が非常に長いか、または、加熱により反応条件を強いる場合にのみ得られる。しかしながら、この場合、同時に加水分解反応を引き起こす危険性がある。グリシンは、大多数のアミンの速度と同等な速度で反応するので、例外である。
【図面の簡単な説明】
【００１５】
図面の説明
【図１】多様な細菌種（Ｂ．ｌｉｃｈｅｎｉｆｏｒｍｉｓ；Ｐ．ｓｙｒｉｎｇａｅ  ｐｖ  ｓｙｒｉｎｇａｅ；Ｘａｎｔｈｏｍｏｎａｓ属種（spp.））の増殖を阻害する（ｍｍ単位の阻害ハロー（halo））、異なるポリアミドアミン濃度（２５、５０、および１３０μｇ／ｍｌ）での製剤αおよびβの相互作用。図中のデータは、多様な細菌種について得られたデータの平均値を表す。
【図２】異なる細菌種（Ｂｌｉｃｈ＝Ｂ．ｌｉｃｈｅｎｉｆｏｒｍｉｓ；ＰＳＳ１＝Ｐ．ｓｙｒｉｎｇａｅ  ｐｖ  ｓｙｒｉｎｇａｅ；ＸＪ＝Ｘａｎｔｈｏｍｏｎａｓ属種）の阻害ハロー（ｍｍ単位）に対する、２つの異なるポリアミドアミン製剤（αおよびβ）の効果。各細菌種およびポリアミドアミン製剤に対して、異なる濃度（２５、５０、および１３０μｇ／ｍｌ）で得られた結果の平均値を報告する。
【図３】Ｐ．ｓｙｒｉｎｇａｅ  ｐｖ  ｓｙｒｉｎｇａｅ（ＰＳＳ１）、Ｂ．ｌｉｃｈｅｎｉｆｏｒｍｉｓ（Ｂｌｉｃｈ）、およびＸａｎｔｈｏｍｏｎａｓ属種（Ｘｊ）の増殖の阻害における、異なる濃度（２５、５０、および１３０μｇ／ｍｌ）でのポリアミドアミン製剤αおよびβの効果（細分類データ）。
【図４】異なる細菌種：Ｃ９９＝Ｐｓｅｕｄｏｍｏｎａｓ属種；Ｂｓｕｂ＝Ｂ．ｓｕｂｔｉｌｉｓ；Ｂｌｉｃｈ＝Ｂ．ｌｉｃｈｅｎｉｆｏｒｍｉｓ；ＰＳＳ１＝Ｐ．ｓｙｒｉｎｇａｅ  ｐｖ  ｓｙｒｉｎｇａｅ；ＸＪ＝Ｘａｎｔｈｏｍｏｎａｓ属種の阻害ハロー（ｍｍ単位）に対する、ポリアミドアミンβ濃度（１００および１５０μｇ／ｍｌ）の効果。
【図５】異なる細菌種：Ｃ９９＝Ｐｓｅｕｄｏｍｏｎａｓ属種；Ｂｓｕｂ＝Ｂ．ｓｕｂｔｉｌｉｓ；Ｂｌｉｃｈ＝Ｂ．ｌｉｃｈｅｎｉｆｏｒｍｉｓ；ＰＳＳ１＝Ｐ．ｓｙｒｉｎｇａｅ  ｐｖ  ｓｙｒｉｎｇａｅ；ＸＪ＝Ｘａｎｔｈｏｍｏｎａｓ属種の阻害ハローに対する、１５０μｇ／ｍｌでのポリアミドアミンα製剤およびポリアミドアミンβ製剤の効果。
【図６】真菌種である、Ｂｏｔｒｙｔｉｓ  ｃｉｎｅｒｅａ（Ｂｃ）およびＭ．ｆｒｕｃｔｉｃｏｌａ（Ｍｆｒｕｃｔ）の阻害ハロー（ｍｍ単位）に対する、異なるポリアミドアミン濃度（１００および１５０μｇ／ｍｌ）の効果。図に示されたデータは、ポリアミドアミン製剤αおよびβについて得られたデータの平均値を表す。
【図７】異なる真菌種（Ｂｃ＝Ｂｏｔｒｙｔｉｓ  ｃｉｎｅｒｅａ；Ｍｆｒｕｃｔ＝Ｍｏｎｉｌｉｎｉａ  ｆｒｕｃｔｉｃｏｌａ）の阻害ハローに対する、ポリアミドアミン製剤（α＝実線；β＝破線）の効果。有意差は、観察されなかった。図に示されたデータは、異なる濃度（１００および１５０μｇ／ｍｌ）で得られたデータの平均値を表す。
【図８】多様な収穫後病原性真菌の阻害ハローに対する、ポリアミドアミンの種類（α、β）および濃度（６０、７０、または９０μｇ／ｍｌ）の効果。
【図９】病原体を接種され、２時間後に、物質（１００μｇ／ｍｌ）で処置されたリンゴの感染病巣の割合の減少における、異なる濃度でのポリアミドアミンαの活性。
【図１０】Ｐｓｅｕｄｏｍｏｎａｓ属種Ｃ９９株の増殖阻害における、ポリアミドアミンαの活性。Ａ＝非処置対照；Ｂ＝１５０μｇ／ｍｌ；Ｃ＝１００μｇ／ｍｌ。
【００１６】
本発明の説明
ＭＢＡと、グリシンおよびアグマチンの混合物との共重付加によって得られるＰＡＡが、ＭＢＡ−Ｇの抗微生物活性を維持し、同時に、その毒性を、許容可能なレベルまで減少させることが発見されている。
【００１７】
本発明によるＰＡＡは、ＭＢＡ、グリシン、およびアグマチンの共重合によって得られ、以下の式（Ｉ）：
【００１８】
【化３】
2019533072.tif 000004
【００１９】
［式中、ｎおよびｍは、（ｎ＋ｍ）の値が、５〜１，０００の範囲であるような、２つの数である］
を有する、１，０００Ｄａ〜２００，０００Ｄａの間であり、好ましくは５，０００Ｄａ〜３０，０００Ｄａの間であり、さらにより好ましくは１２，０００Ｄａ〜１４，０００Ｄａの間の範囲の数平均分子量を有するコポリマーである。
【００２０】
式（Ｉ）のコポリマーは、ポリマー鎖に沿って互いに対してランダムに配置された、グアニジン単位およびグリシン単位を、それらが由来する反応混合物と同じ割合で含有する。コポリマーにおける重合機構（段階重付加）に従い、反応生成物の組成は、モノマーの出発混合物に、正確に対応しなければならない。（ｎ＋ｍ）の合計は、ポリマーに所望の分子量をもたらすのに求められる繰り返し単位の平均数を表す整数である。式（Ｉ）のコポリマーでは、（ｎ＋ｍ）は、好ましくは、２０〜２００の範囲であり、さらにより好ましくは、４５〜５５の範囲であり、述べた通り、１２，０００〜１４，０００Ｄａの範囲の数平均分子量に相当する。
【００２１】
平均で、試験コポリマー内の（ｎ＋ｍ）の値は、５０±５であり、１２，０００〜１３，５００Ｄａの範囲の数平均分子量に相当する。分子量の正確な値が、活性の目的にとって重要ではないのに対し、比ｍ／（ｎ＋ｍ）、すなわち、グアニジン単位と、総単位との比は、その目的にとって重要である。本発明では、好ましい比は、０．２５〜０．７の範囲である。
【００２２】
比ｎ／ｍは、０．０５〜９９．５の範囲であることができ、好ましくは１０〜９０の範囲であることができ、さらにより好ましくは０．２５〜０．７５の範囲であることができる。
【００２３】
本発明の一実施形態では、ｎ／ｍは、０．７５である。
本発明の別の実施形態では、ｎ／ｍは、０．７である。
本発明の別の実施形態では、ｎ／ｍは、０．６である。
本発明の別の実施形態では、ｎ／ｍは、０．５である。
本発明の別の実施形態では、ｎ／ｍは、０．４である。
本発明の別の実施形態では、ｎ／ｍは、０．３である。
本発明の別の実施形態では、ｎ／ｍは、０．２５である。
【００２４】
本発明によるＰＡＡは、（ｎ＋ｍ）モル当量のＭＢＡを、ｎモル当量のグリシンおよびｍモル当量のアグマチン一塩基酸塩または二塩基酸塩を含有する水溶液へ添加することにより調製することができ、この場合、ｎおよびｍは、上記で定義された通りである。グリシンおよびアグマチン二塩基酸塩は、それぞれ、ｎモル当量およびｍモル当量の、無機水酸化物または第三級アミンなど、マイケル型付加に対して不活性な塩基を添加することにより中和される。
【００２５】
グリシンへの等分子量の塩基の添加は、グリシンのカルボキシルを中和し、アミノ基を放出するが、これは重付加反応において遊離塩基として反応することができる。
【００２６】
アグマチン二塩基酸塩への等分子量の塩基の添加は、アグマチンを塩化するために使用される酸の水素原子を、より弱い塩基であるアミノ基から移動させ、それを放出し、それが反応することを可能とするが、はるかに強い塩基であるグアニジン基を、特にアミノ基を含む重付加反応を妨害しないように、イオン化したままにする。塩化がグアニジン基のみを含む、アグマチン一塩基酸塩は、アルカリ性水酸化物による中和を要しない。
【００２７】
水酸化リチウム一水和物は、アッセイすることが容易であるため、特に好都合である。
【００２８】
アグマチン二塩基酸塩は、好ましくは硫酸アグマチンである。
【００２９】
重付加反応は、必要に応じて、無機水酸化物または第三級アミンなどのマイケル型付加に対して不活性な塩基を用いて到達させた、８〜１０の間の範囲のｐＨの水中で、５℃〜８０℃の間、好ましくは、１０℃〜３０℃の間の範囲の温度で、３〜３００時間の間、好ましくは、２４〜１９２時間の間の範囲の時間にわたり行うことが好ましい。
【００３０】
結果として得られるＰＡＡの分子量は、相補的な重合官能基の間の化学量論比（当量比の場合に最大となる）および反応時間と相関する。
【００３１】
次いで、公知の手順により、ＰＡＡを単離および精製する。典型的には、反応混合物を、水で希釈し、３〜３．５のｐＨへと酸性化し、最後に、適切な公称カットオフを１，０００Ｄａ、より典型的には５，０００Ｄａとする膜を通して、限外濾過する。最後に、保持された画分を凍結乾燥し、膜を通過した画分を除去する。
【００３２】
本発明による化合物は、細菌および真菌に対して有効である。
【００３３】
本発明による化合物の効果に対して感受性のある細菌種の例は、Ｅ．ｃｏｌｉ、Ｓ．ａｕｒｅｕｓ、Ｘａｎｔｈｏｍｏｎａｓ属種、Ｐｓｅｕｄｏｍｏｎａｓ  ｓｙｒｉｎｇａｅ  ｐｖ．Ｓｙｒｉｎｇａｅ、Ｂａｃｉｌｌｕｓ  ｌｉｃｈｅｎｉｆｏｒｍｉｓ、Ｂ．ｓｕｂｔｉｌｉｓおよびＰｓｅｕｄｏｍｏｎａｓ属種である。
【００３４】
本発明による化合物に対して感受性のある真菌種の例は、Ｍｏｎｉｌｉａ  ｌａｘａ、Ｍｏｎｉｌａ  ｆｒｕｃｔｉｇｅｎａ、Ｂｏｔｒｙｔｉｓ  ｃｉｎｅｒｅａおよびＭｏｎｉｌｉｎｉａ  ｆｒｕｃｔｉｃｏｌａである。
【００３５】
したがって、本発明による化合物は、微生物感染症の治療および／または予防のための医薬組成物の有効成分として有用である。
【００３６】
本発明による化合物は、通例の慣行に従い選択される従来の担体および賦形剤と共に製剤化することができる。
【００３７】
賦形剤は、界面活性剤、保存剤、抗酸化剤、キレート化剤、炭水化物、ヒドロキシアルキルセルロース、ヒドロキシアルキルメチルセルロース、ポロキサマー、ポリマー安定化剤などを含むことができる。
【００３８】
本発明による医薬組成物は、少なくとも１つの式（Ｉ）の化合物を、１つまたは複数の担体および／または賦形剤と併せて含む。医薬組成物は、経口経路、局所経路、静脈内経路および非経口経路などの様々な投与経路に適したものを含む。医薬組成物は、都合よくは、用量単位形態であることができ、周知の方法により調製することができる。
【００３９】
経口用途に使用する場合は、錠剤、トローチ、水性もしくは油性の懸濁液、顆粒もしくは分散性粉末、ハードカプセルもしくはソフトカプセル、シロップまたはエリキシルを調製することができる。経口用途のためにデザインされた組成物は、医薬組成物の調製のための任意の公知の方法により調製することができ、前記組成物は、心地良い風味を有する調製物を提供するために、１つまたは複数の甘味剤、香味剤、着色剤および保存剤を含有することができる。
【００４０】
例えば、粘膜および皮膚を介した局所投与のためには、医薬組成物は、好ましくは、本発明による化合物を含有する、軟膏、ゲル、クリーム、またはペーストとして適用される。局所製剤は、本発明による化合物の、皮膚もしくは他の患部を通した吸収もしくは浸透を促進する化合物、または他の抗微生物剤を含むことができる。
非経口投与に適した組成物は、本発明による化合物を含有する、滅菌水性または非水性注射用溶液、または懸濁液を含む。
【００４１】
本発明によるＰＡＡの毎日の用量は、１０〜１０，０００ｍｇ、好ましくは、１００〜１，０００ｍｇの範囲であることができる。用量は、有効性研究、薬物動態研究、および毒性学研究に基づき、補正することができる。
【００４２】
本発明による化合物はまた、有機農業において、細菌性病原体および真菌性病原体に対抗するための植物保護製品としても使用することができる。
【００４３】
植物保護製品として使用するために、本発明による化合物は、固体形態または液体形態で処方することができる。
【００４４】
農業用途のための固体製剤の例は、
−  本発明による化合物、適切に選択された分散剤および不活性薬剤を、一緒に粉砕して均一な前混合物を得、次いで、これを、押出および凝集などの異なる技術により顆粒化させた、水分散性顆粒および可溶性顆粒；
−  本発明による化合物を、最も適切な分散剤、湿潤剤および不活性物質と混合し、それらの成分を一緒に粉砕することによって得られる、水和性粉末および可溶性粉末
である。
【００４５】
農業用途のための液体製剤の例は、
−  本発明による化合物を、細かく粉砕し、分散剤および湿潤剤を用いて、水中または油中に均一に分散させ、製剤を、増粘剤および消泡剤で完成させた、濃縮水性懸濁液または油中濃縮分散液；
−  本発明による化合物を、乳化剤と共に最も適切な溶媒中に溶解させた乳化性液；
−  本発明による化合物と、適切な溶媒とを、少量の界面活性剤の存在下、高せん断速度で攪拌することにより水中で乳化させ、製剤を増粘剤および消泡剤で完成させた油／水エマルジョン；
−  本発明による化合物と、適切な溶媒とを、大量の界面活性剤を用いて水中で自然に乳化させたマイクロエマルジョン；
−  本発明による化合物と、任意選択で少量の適切な溶媒とを、それらの制御放出を可能とする半透性のプラスチックフィルムによって囲まれた小滴の形態で、水中に懸濁させたマイクロカプセルの懸濁液
である。
【００４６】
ここで、本発明を以下の例によってより詳細に説明する。
【００４７】
例
例１：ポリアミドアミンであるＧＵＡＧＬＹ５：５の合成
グリシン（７．５１ｇ、１０分の１モル）を５０ｍＬの蒸留水中に溶解し、これに水酸化リチウム一水和物を添加する（４．２ｇ、１０分の１モル）。
【００４８】
硫酸アグマチン（２２．８３ｇ、１０分の１モル）と、７５ｍＬの水との混合物を別々に調製し、水酸化リチウム一水和物（４．２ｇ、１０分の１モル）を攪拌下で添加する。混合物は徐々に均一な溶液となる。
【００４９】
２つの溶液を組み合わせ、固体のＮ，Ｎ−メチレンビスアクリルアミド（３０．８２ｇ、１０分の２モル）を添加し、均一な溶液が得られるまで、混合物を室温（約２０℃）で攪拌する。この時点で攪拌を停止させ、７日間にわたり混合物を放置し、反応するとますます粘性になる溶液中の濃度が不均一になるのを防ぐために、これを時折攪拌する。
【００５０】
反応の終了時に、混合物を蒸留水で６００ｍＬに希釈し、塩酸でｐＨ３〜３．５に酸性化し、公称カットオフを５，０００Ｄａとする（プロセスは１，０００Ｄａでもまた実行可能である）膜を通して限外濾過する。保持された画分を凍結乾燥し、膜を通過した画分を除去する。
【００５１】
数平均分子量を１２，８００Ｄａとし、多分散性を１．２６とする、生成物３５ｇを得る。前記値は、直列で接続した、Ｋｎａｕｅｒ  Ａｕｔｏｓａｍｐｌｅｒ  ３８００、ＴＫＳｇｅｌ  Ｇ４０００  ＰＷ、およびＧ３０００  ＰＷ  ＴｏｓｏＨａａｓカラムを装備したＫｎａｕｅｒ  Ｐｕｍｐ  １０００、Ｖｉｓｃｏｔｅｋ  ２７０  Ｄｕａｌ  Ｄｅｔｅｃｔｏｒ（光散乱／粘度計）およびＷａｔｅｒｓ  ｍｏｄｅｌ  ２４１０  屈折率検出器を使用する、サイズ除外クロマトグラフィー（ＳＥＣ）により得られた。移動相は、０．２Ｍの塩化ナトリウムを含有する０．１Ｍ、ｐＨ８．１±０．０５のトリス緩衝液であった。試料の濃度は２０ｍｇ／ｍＬであり、流量は１ｍＬ／分であった。
【００５２】
上記で記載した手順を使用し、ＭＢＡ、アグマチン（ＧＵＡ）およびグリシン（ＧＬＹ）の間のモル比を適切に変化させるが、それらの合計と、ＭＢＡとの間の化学量論的等価性を維持することにより、表に示す生成物を得る。
【００５３】
【表１】
2019533072.tif 000005
【００５４】
例２：抗菌活性の評価
試験は、Ｅ．ｃｏｌｉおよびＳ．ａｕｒｅｕｓの菌株についてのＳＮＶ−１９５９２０−１９９２基準に従う、寒天拡散法により行った。
【００５５】
試験のために使用された化合物は、
Ａ）ＧＵＡＧＬＹ−５：５
Ｂ）ＭＢＡ−アグマチン（比較化合物）
であった。
【００５６】
試験化合物溶液を含浸させた１００％の綿ガーゼ上で得られる細菌増殖の阻害帯域は、十分に明瞭であり、Ｅ．ｃｏｌｉおよびＳ．ａｕｒｅｕｓの菌株に対する両方の化合物の良好な有効性を示す。
【００５７】
例３：Ｓ．ａｕｒｅｕｓに対する抗菌活性の評価
同じ寒天拡散法を使用して、以下の化合物α、β：
−  α（ＭＢＡ：１．０／アグマチン：０．５／グリシン：０．５）（ＧＵＡＧＬＹ−５：５）
−  β（ＭＢＡ：１．０／アグマチン：０．６／グリシン：０．４）（ＧＵＡＧＬＹ−６：４）の濃度を変化させながら、Ｓ．ａｕｒｅｕｓについての試験を行った。
【００５８】
試験濃度は、１２．５および３．１２５μｇ／ｍｌであった。
【００５９】
ＰＡＡαおよびＰＡＡβは、いずれの濃度でも細菌増殖の明確な阻害ハローを示し、低濃度においてかなり良好な抗菌活性を示し、高濃度において良好な活性を示す。
【００６０】
例４：病原性植物株および病原性動物株に対する、ＧＵＡＧＬＹ−５：５（α）およびＧＵＡＧＬＹ−６：４（β）の抗微生物活性
植物病原体に関して、本発明による化合物の、Ｘａｎｔｈｏｍｏｎａｓ属種（ＸＪ）、Ｐｓｅｕｄｏｍｏｎａｓ  ｓｙｒｉｎｇａｅ  ｐｖ．Ｓｙｒｉｎｇａｅ（ＰＳＳ１）、Ｂａｃｉｌｌｕｓ  ｌｉｃｈｅｎｉｆｏｒｍｉｓ（Ｂｌｉｃｈ）、Ｂ．ｓｕｂｔｉｌｉｓ（Ｂｓｕｂ）およびＰｓｅｕｄｏｍｏｎａｓ属種（Ｃ９９）、ならびに、真菌種である、Ｂｏｔｒｙｔｉｓ  ｃｉｎｅｒｅａ（Ｂｃ）およびＭｏｎｉｌｉｎｉａ  ｆｒｕｃｔｉｃｏｌａ（Ｍｆｒｕｃｔ）など、様々な細菌に対する抗微生物活性を測定した。例２のディスク拡散試験を用いた。特に、１０４個の細菌細胞または分生子細胞を含有する細胞懸濁液１００μｌを、栄養寒天またはポテトデキストロース寒天のディスク上に拡散させた。次いで、直径２５ｍｍの滅菌濾紙ディスクを、各プレートの中心に置き、これに、異なる濃度（２５、５０、１００、１３０および１５０μｇ／ｍｌ）のポリマー１５０μｌを含浸させた。対照プレートでは、濾紙に滅菌蒸留水を含浸させた。実験は、各抗微生物剤および各濃度について三回行った。プレートを細菌および真菌のそれぞれについて、室温で、２４および４８時間にわたりインキュベートした。活性は、濾紙ディスク周囲の阻害ハローをｍｍ単位で測定することにより決定した。
【００６１】
実験は完全なランダムプランに従い組織され、データは、主因子として、物質の種類、濃度および微生物種を考慮に入れる、分散の要因解析にかけた。Ｐ≦０．０５の値を使用して、信頼区間を使用して比較された処置の平均値（mean of treatment）及び統計学的有意性を識別した。
【００６２】
灰色カビ病および根腐れの発生を制限する物質の活性を評価するために、２０個のリンゴの表面を２％の次亜塩素酸ナトリウム溶液で２分間にわたり消毒し、水道水ですすぎ、そして乾燥させ、次いで、赤道に沿って、各果実に、幅２ｍｍで深さ２ｍｍの病巣１カ所を作製することにより損傷させた。ポテトデキストロース寒天（ＰＤＡ）上で、２２℃で７〜１０日間にわたり培養されたＢ．ｃｉｎｅｒｅａおよびＭ．ｆｒｕｃｔｉｃｏｌａを使用して、０．０５％のＴｗｅｅｎ８０を含有する滅菌蒸留水中の芽胞懸濁液（１ｍｌ当たりの芽胞５×１０４個）を調製した。病巣に２０μｌの病原体芽胞懸濁液を接種し、リンゴを層流フード（hood）下に置いた。２時間後、異なる濃度（１００および１５０μｇ／ｍＬ）のα−ポリアミドアミン溶液１００μｌを各病巣に接種した。滅菌蒸留水で処置した病巣を対照として使用した。果実を２０℃および高ＲＨ（９０％）で、７日間にわたり保管し、その後、感染したリンゴの数を記録した。
【００６３】
結果
ＰＡＡ濃度は、試験菌株の阻害ハローに明らかに影響を及ぼす：阻害は、濃度と共に増大し、実験で使用されるＰＡＡ（αまたはβ）の種類に依存した（図１）。
【００６４】
ＰＡＡαおよびＰＡＡβは、細菌種である、Ｐ．ｓｙｒｉｎｇａｅ  ｐｖ  ｓｙｒｉｎｇａｅおよびＸａｎｔｈｏｍｏｎａｓ属種の阻害剤として極めて有効であるが、Ｂ．ｌｉｃｈｅｎｉｆｏｒｍｉｓ種に対しては、やや有効ではないことが証明された（図２）。図は、ＰＡＡにさらされた細菌株の感受性を示し、グラフは、２５、５０および１３０μｇ／ｍｌの濃度で得られた内挿を表す。
【００６５】
高濃度のＰＡＡ（１００および１５０μｇ／ｍｌ）を用いて、その後に行われた試験は、濃度を増大させると、病原性細菌に対する阻害力もまた増大することを明らかに示している。
【００６６】
図３の細分類データは、様々な細菌種に対する阻害ハローの観点からの、ＰＡＡαおよびＰＡＡβならびにそれらの濃度の効果を示している。
【００６７】
図１、２および３は同じ実験に関するものであり、様々な試験因子：ポリアミドアミンの種類（αまたはβ）、ポリアミドアミンの濃度（２５、５０または１３０μｇ／ｍＬ）および細菌種（Ｐ．ｓｙｒｉｎｇａｅ  ｐｖ  ｓｙｒｉｎｇａｅであるＰＳＳ１、Ｂ．ｌｉｃｈｅｎｉｆｏｒｍｉｓであるＢｌｉｃｈ、およびＸａｎｔｈｏｍｏｎａｓ属種であるＸｊ）の間の、相互作用および主要な効果を示している。
【００６８】
全体として見ると、図は、
ｉ）濃度が、試験細菌種の阻害ハローに対して、著明かつ増大する効果を及ぼすこと；
ｉｉ）ＰＡＡの種類であるαおよびβが、細菌種により異なる効果を示す：平均して、βがＰＳＳ１種およびＢｌｉｃｈ種に対してより有効であるのに対し、αはＸｊに対してより有効であること；
ｉｉｉ）見出された効果が、主に濃度によるものであること
を証明している。
【００６９】
図４は、濃度を１００および１５０μｇ／ｍｌとするＰＡＡβの、細菌種である、Ｃ９９＝Ｐｓｅｕｄｏｍｏｎａｓ属種；Ｂｓｕｂ＝Ｂ．ｓｕｂｔｉｌｉｓ；Ｂｌｉｃｈ＝Ｂ．ｌｉｃｈｅｎｉｆｏｒｍｉｓ；ＰＳＳ１＝Ｐ．ｓｙｒｉｎｇａｅ  ｐｖ  ｓｙｒｉｎｇａｅ；ＸＪ＝Ｘａｎｔｈｏｍｏｎａｓ属種に対する効果を示している。
【００７０】
図５は、濃度を１５０μｇ／ｍｌとする化合物αおよびβの、同じ細菌種に対する効果を示している。
【００７１】
１００および１５０μｇ／ｍｌの濃度で、選択されたＰＡＡは、Ｂ．ｃｉｎｅｒｅａおよびＭ．ｆｒｕｃｔｉｃｏｌａに対する強力な増殖抑制力を示すが、これは後者の場合に著明に大きい（図６）。グラフは、化合物αおよびβに関して得られた結果の平均値を示す。
【００７２】
細菌種についての知見とは異なり、試験真菌種では、化合物αと化合物βとの間の効果に有意差は観察されなかった（図７）。
【００７３】
低濃度で、大多数の収穫後病原性真菌（Ｍ．ｌａｘａ、Ｍ．ｆｒｕｃｔｉｃｏｌａ、Ｍ．ｆｒｕｃｔｉｇｅｎａおよびＢ．ｃｉｎｅｒｅａ）（図８）について行われた試験は、６０μｇ／ｍｌで、ＰＡＡαが、ＰＡＡβより大きな阻害ハローをもたらすこと；ＰＡＡαが濃度を７５および９０μｇ／ｍｌに増大させても、阻害ハローの有意な増大を示さないのに対し、ＰＡＡβは濃度と比例する阻害傾向を示し、ＰＡＡａによって得られる値と同等であり、時にはこれを超える阻害傾向を示すことを明らかにする。
【００７４】
１００および１５０μｇ／ｍｌの濃度で、ＰＡＡαは、Ｍ．ｆｒｕｃｔｉｃｏｌａおよびＢ．ｃｉｎｅｒｅａを接種されたリンゴにおける感染病巣の割合を著しく減少させた（図９）。
【００７５】
最後に、図１０は、Ｐｓｅｕｄｏｍｏｎａｓ属種Ｃ９９株の増殖の阻害におけるＰＡＡαの活性を示す。
【００７６】
概括して言えば、全ての実験は、試験ＰＡＡによる明確且つ強力な抗菌作用および抗真菌作用を示している。
【図１】
2019533072.tif 000008
【図２】
2019533072.tif 000009
【図３】
2019533072.tif 000010
【図４】
2019533072.tif 000011
【図５】
2019533072.tif 000012
【図６】
2019533072.tif 000013
【図７】
2019533072.tif 000014
【図８】
2019533072.tif 000015
【図９】
2019533072.tif 000016
【図１０】
2019533072.tif 000017
【国際調査報告】
2019533072.tif 000018
2019533072.tif 000019
2019533072.tif 000020